(57)【要約】【課題】近年のガスコンロでは、火力調節レバー等を見やすくして操作性を向上させるため、天板の面積をコンロ器体の上面の大きさと一致させている。このため、火力調節レバーが天板から外側に突出しているので、天板にこぼれた煮汁が火力調節レバーにかかり、煮汁が火力調節レバー伝って侵入し、コンロ器体内に設けた電装基板やスイッチなどに悪影響を及ぼす可能性がある。【解決手段】火力調節レバー７の所定の位置に、天板にこぼれた煮汁が火力調節レバーを伝って可動弁側に移動するのを防止するように、火力調節レバーの途中で煮汁を堰止めて落下させる堰部７２を設ける。【選択図】　図２
2004060898.tif 000002
【特許請求の範囲】
【請求項１】
ガスバーナーに通じるガス通路を備え、該ガス通路に通路面積を変化させてガスバーナーへの燃料ガスの供給量を調節する可動弁を設け、該可動弁を、ガス調理器具の前面パネルから突出させて配置される火力調節レバーで操作するガス調理器具の火力調節装置において、
前記火力調節レバーの所定の位置に、天板にこぼれた煮汁が火力調節レバーを伝って可動弁側に移動するのを防止するように、火力調節レバーの途中で煮汁を堰止めて落下させる堰部を設けたことを特徴とするガス調理器具の火力調節装置。
【請求項２】
２個のガスバーナーにそれぞれ通じるガス通路を備え、各ガス通路に通路面積を変化させてガスバーナーへの燃料ガスの供給量を調節する可動弁をそれぞれ設け、各可動弁を、ガス調理器具の前面パネルから突出して配置される２個の火力調節レバーで操作し、各火力調節レバーを相互に上下に重ねて配置したガス調理器具の火力調節装置において、
前記各火力調節レバーの所定の位置に、天板にこぼれた煮汁が火力調節レバーを伝って可動弁側に移動するのを防止するように、煮汁を堰止めて落下させる第１及び第２の各堰部をそれぞれ設け、第２火力調節レバーの第２堰部を、上側の火力調節レバーの第１堰部より可動弁側に配置したことを特徴とするガス調理器具の火力調節装置。
【請求項３】
前記堰部は、火力調節レバーの幅全体に亘って上方に隆起させた凸部であることを特徴とする請求項１または請求項２記載のガス調理器具の火力調節装置。
【請求項４】
前記堰部は、火力調節レバーの幅全体に亘って下方に窪ませた凹部であることを特徴とする請求項１または請求項２記載のガス調理器具の火力調節装置。
【請求項５】
前記火力調節レバーの端部につまみを設け、該つまみに、天板にこぼれた煮汁を堰止めて落下させる堰部を設けたことを特徴とする請求項１から請求項４のいずれかに記載のガス調理器具の火力調節装置。
【請求項６】
堰部の下側に、落下した煮汁を収容する汁受皿を設けたことを特徴とする請求項１から請求項５のいずれかに記載のガス調理器具の火力調節装置。
【発明の詳細な説明】
【０００１】
【発明の属する技術分野】
本発明は、ガスバーナーへの燃料ガスの供給量を調節するガス調理器具の火力調節装置に関する。
【０００２】
【従来の技術】
例えばガスコンロでは、コンロ器体に設けたガスバーナーの火力調節を行うため火力調節装置が設けられている。火力調節装置は、ガスバーナーの混合管に燃料ガスを噴射する噴射ノズルに連なるガス通路を設けたバルブケーシングを有する。
【０００３】
ガス通路には可動弁であるニードル弁が設けられ、該ニードル弁に連結された火力調節レバーでニードル弁を操作し、ガス通路の通路面積を変更してガス流量を増減させることでガスバーナーの火力調節が行われる。
【０００４】
この場合、火力調節レバーは平坦な板材から形成され、その先端部がガスコンロの前面に設けた前面パネルから突出するようにガスコンロに配置される。
【０００５】
ここで、図１０を参照して、従来のガスコンロＡでは、コンロ器体ａの上面を覆う天板ｂがコンロ器体ａの前面側から突出するように形成され、前面パネルｃに配置した火力調節レバーｄは、天板ｂのコンロ器体ａから突出した部分の真下に位置していた。
【０００６】
このため、このガスコンロＡでは、調理時に五徳Ｇ上の調理器具Ｅから煮こぼれが生じても、天板ｂの突出した部分で火力調節レバーｄがカバーされているので、天板ｂにこぼれた煮汁が火力調節レバーｄにかかり、火力調節レバーｄを伝ってコンロ器体ａ内に侵入する可能性は極めて低かった。
【０００７】
但し、コンロ器体ａの前面側に突出するように天板ｂを形成し、天板ｂの突出した部分の下側に火力調節レバーｃを設けたのでは、調理時に調理者にとって火力調節レバーｄが見づらく、使い勝手が悪い。
【０００８】
このため、近年では、天板の前面をコンロ器体の前面とほぼ面一にし、前面パネルを外側に向かって傾斜して配置することで、火力調節レバーを見易くしてその操作性を向上させると共に、ガスコンロのデザイン性を向上させている。
【０００９】
【発明が解決しようとする課題】
しかしながら、このようにガスコンロを構成すると火力調節レバーが天板から外側に突出しているので、調理時に調理器具から煮こぼれが生じると、天板にこぼれた煮汁が火力調節レバーにかかり、場合によっては煮汁が平坦な火力調節レバーを伝ってコンロ器体内に侵入し、コンロ器体内に設けた電装基板やスイッチなどに悪影響を及ぼす可能性がある。
【００１０】
特に、クリーニングが容易になるように天板をフラットに形成したものでは天板上にこぼれた煮汁が天板内にせき止められず、ガスコンロの前面に流れ落ちるため、上述の不具合が生じる危険性が増大する。
【００１１】
そこで、本発明は、上記点に鑑み、天板にこぼれた煮汁がコンロ器体内の電装基板やスイッチなどに悪影響を及ぼさないようにしたガス調理器具の火力調節装置を提供することを課題とするものである。
【００１２】
【課題を解決するための手段】
この課題を解決するため、請求項１記載のガス調理器具の火力調節装置は、ガスバーナーに通じるガス通路を備え、該ガス通路に通路面積を変化させてガスバーナーへの燃料ガスの供給量を調節する可動弁を設け、該可動弁を、ガス調理器具の前面パネルから突出させて配置される火力調節レバーで操作するガス調理器具の火力調節装置において、前記火力調節レバーの所定の位置に、天板にこぼれた煮汁が火力調節レバーを伝って可動弁側に移動するのを防止するように、火力調節レバーの途中で煮汁を堰止めて落下させる堰部を設けたことを特徴とする。
【００１３】
請求項１記載の発明によれば、調理時に調理器具から煮こぼれが生じ、天板にこぼれた煮汁が火力調節レバーにかかっても、火力調節レバーに設けた堰部によって煮汁が火力調節レバーの途中で堰止められて落下する。このため、煮汁が火力調節レバーを伝って可動弁側に移動することはない。
【００１４】
また、請求項２記載のガス調理器具の火力調節装置は、２個のガスバーナーにそれぞれ通じるガス通路を備え、各ガス通路に通路面積を変化させてガスバーナーへの燃料ガスの供給量を調節する可動弁をそれぞれ設け、各可動弁を、ガス調理器具の前面パネルから突出して配置される２個の火力調節レバーで操作し、各火力調節レバーを相互に上下に重ねて配置したガス調理器具の火力調節装置において、前記各火力調節レバーの所定の位置に、天板にこぼれた煮汁が火力調節レバーを伝って可動弁側に移動するのを防止するように、煮汁を堰止めて落下させる第１及び第２の各堰部をそれぞれ設け、第２火力調節レバーの第２堰部を、上側の火力調節レバーの第１堰部より可動弁側に配置したことを特徴とする。
【００１５】
請求項２記載の発明によれば、調理時に調理器具から煮こぼれが生じ、天板にこぼれた煮汁が上側の火力調節レバーにかかっても、該火力調節レバーに設けた堰部によって煮汁が火力調節レバーの途中で堰止められて落下する。
【００１６】
落下した煮汁のいくらかは下側の火力調節レバーにかかるが、第１堰部より可動弁側に設けた第２堰部によって煮汁が堰止められて落下する。このため、煮汁が火力調節レバーを伝って可動弁側に移動することはない。
【００１７】
ここで、前記堰部は、例えば、火力調節レバーの幅全体に亘って上方に隆起させた凸部とすればよい。
【００１８】
また、前記堰部は、例えば、火力調節レバーの幅全体に亘って下方に窪ませた凹部としてもよい。
【００１９】
さらに、前記火力調節レバーの端部につまみを設けた場合、該つまみに煮汁を堰止めて落下させる堰部を設けてもよい。
【００２０】
なお、堰部の下側に、落下した煮汁を収容する汁受皿を設けるのがよい。
【００２１】
【発明の実施の形態】
図１を参照して、１は、本発明の火力調節装置を設けたガスコンロである。該ガスコンロ１は箱状のコンロ器体１１を有し、コンロ器体１１には、例えば２個のガスバーナー１２が設けられている。
【００２２】
コンロ器体１１の開口した上面には、各ガスバーナー１２を臨む開口を設けたフラットな天板１３が装着されている。この場合、天板１３は、コンロ器体１１の上面の開口とほぼ同じ大きさに形成されている。
【００２３】
コンロ器体１１の略中央部にはグリル（図示せず）設けられ、該グリルの両側に位置してコンロ器体１１の前面には前面パネル１４が設けられている。この場合、後述する火力調節レバー７や点消火ボタンの操作性を向上させるため、前面パネル１４は傾斜させている。
【００２４】
図２及び図３を参照して、ガスバーナー１２への燃料ガスの供給量を調節する火力調節装置２は、上下に重ねて連結した２個の部分２１ａ、２１ｂから構成されるバルブケーシングを有する。略水平であるバルブケーシングの第１部分２１ａには、その長手方向に沿って延びる第１ガス通路２２が設けられ、第１ガス通路２２に連通するガス流入部２３が開設されている。
【００２５】
ガス流入部２３の下流側に位置して第１ガス通路２２には電磁弁３が設けられている。電磁弁３はマグネットケース３１を有し、このマグネットケース３１には、例えばコンロ器体１１に設けた制御ユニット（図示せず）からの信号に基づいて励磁される電磁石とこれに吸着される吸着片とが収容されている。
【００２６】
吸着片にはマグネットケース３１から第１ガス通路２２の下流側に向かって突出した第１弁体３２が連結されている。電磁弁３の閉弁状態では、第１弁体３２は、該第１弁体３２とマグネットケース３１との間に縮設したばね３３の付勢力で、シール材３４ａを介して第１ガス通路２２に設けた弁座部材３４の弁座に着座している。
【００２７】
電磁弁３の開弁操作は、シール材４１を介して第１ガス通路２２に挿設され、第１ガス通路２２の長手方向に沿って前後に移動自在な操作ロッド４により行われる。
【００２８】
また、操作ロッド４には第２弁体４２が設けられ、第２弁体４２は第１ガス通路２２に設けた弁座４３と共に元弁を構成する。元弁の閉弁状態では、第２弁体４２は、第２弁体４２と弁座部材３４との間に縮設したばね４４により弁座４３に着座している。
【００２９】
操作ロッド４の前後方向の移動は、コンロ器体１１の前面パネル１４に設けた点消火ボタン５の押込み操作によって行われる。この場合、点消火ボタン５を押込み操作すると、操作ロッド４が後方向（図２の右側）に押圧されて元弁を開弁させた後、弁体３２を吸着片側に押しきると共に点火手段である放電ユニット（図示せず）が作動する点火位置まで移動する。
【００３０】
また、第１部分２１ａには元弁の上方であって下流側に位置してガス流出口２４が設けられ、該ガス流出口２４は、第１部分２１ａに対してほぼ直角に連結した第２部分２１ｂの第２ガス通路２５と一致している。
【００３１】
第２ガス通路２５は折れ曲って形成され、ガスバーナー１２の混合管Ｍに燃料ガスを噴射する噴射ノズル（図示せず）が接続されるガス流出部２６に通じる。また、第２部分２１ｂには、第１部分２１ａに対向して上方に延びる案内路２７が、第２ガス通路２５に連通して開設されている。
【００３２】
案内路２７には、通路面積を増減して噴射ノズルへの燃料ガスのガス供給量を調節する可動弁であるニードル弁６が昇降自在に挿入されている。この場合、ニードル弁６が上昇すると通路面積が広がり、逆に下降すると通路面積が小さくなる。
【００３３】
ニードル弁６にはピン６１が突出して嵌入され、第２部分２１ｂに取付けられた案内板６２に形成された斜め方向の長穴６３に挿通されている。また、該ピン６１の端部は、ニードル弁６の上方に回動自在に設けた火力調節レバー７に係止されている。
【００３４】
火力調節レバー７はクランク状に屈曲させた平坦な板材から形成され、火力調節レバー７の端部は前面パネル１４から突出している。この突出した端部には、断面がへ字状に形成されたつまみ７１が設けられている。
【００３５】
そして、火力調節レバー７をコンロ器体１１の左右方向に回動すると、連動してニードル弁６が昇降運動する。この場合、火力調節レバー７を強火位置にすると、ピン６１が長穴６３の上方に導かれてニードル弁６が上端位置に保持される。他方で、弱火位置にした場合にはピン６１が長穴６３の下方に導かれて下端位置に保持される。
【００３６】
ところで、このガスコンロ１では、火力調節装置２の火力調節レバー７が天板１３から突出しているので、調理時に、五徳Ｇ上に載置した調理器具Ｅから煮こぼれが生じた場合、天板１３にこぼれた煮汁が火力調節レバー７にかかる場合がある（図１参照）。
【００３７】
煮汁が火力調節レバー７にかかると、煮汁が火力調節レバー７を伝ってコンロ器体１１内に侵入し、火力調節レバー７の下側に位置するニードル弁６のガスシール部やコンロ器体１１内に設けた電装基板やスイッチなどに悪影響を及ぼす可能性がある。
【００３８】
本実施の形態では、火力調節レバー７の所定の位置に、火力調節レバー７の幅全体に亘って上方に隆起させた凸部から構成される堰部７２を設け、火力調節レバー７の途中で煮汁をこの堰部７２で堰止めて火力調節レバー７上から落下させるようにした。
【００３９】
この場合、堰部７２は、コンロ器体１１の内側に位置するように設定されている。そのため、火力調節レバー７を伝ってくる煮汁を落下させると煮汁はコンロ器体１１内に落下する。コンロ器体１１内にはコンロ本体のほかに他の部品が取り付けられているので、落下させた煮汁でコンロ器体１１内の他の部品が汚れないように、堰部７２の位置に応じてコンロ器体１１に汁受皿７３を設けた。
【００４０】
これにより、天板にこぼれた煮汁が火力調節レバー７を伝ってコンロ器体１１内に侵入しても、火力調節レバー７の下側に位置するニードル弁６のガスシール部やコンロ器体１１内に設けた電装基板やスイッチといった他の部品に煮汁がかかることが防止される。なお、堰部７２から落下する範囲内に他の部品が存在していない場合には汁受け皿７３を設けなくてもよい。
【００４１】
堰部７２は、前面パネル１４より外側に位置するように設定し、コンロ器体１１内に煮汁が侵入しないようにしてもよい。
【００４２】
図４及び図５を参照して、１００は第２実施の形態にかかる火力調節装置である。該火力調節装置１００は、グリルに設けた上火バーナー及び下火バーナーへの燃料ガスのガス流量を調節するためのものである。
【００４３】
火力調節装置１００では、バルブケーシングの第２部分２１ｂに設けた第２ガス通路２５がガバナ弁ＧＶを通過した後に分岐され、分岐された各第２ガス通路２５には、相互に平行な２本の案内路２７ａ、２７ｂが連通している。各案内路２７ａ、２７ｂにはニードル弁６０ａ、６０ｂが昇降自在に挿入されている。
【００４４】
各ニードル弁６０ａ、６０ｂは、上記第１の実施の形態と同様に構成されており、各ニードル弁６０ａ、６０ｂは、案内板６２ａ、６２ｂの長孔６３ａ、６３ｂに挿通されたピン６１ａ、６１ｂが係止された火力調節レバー７０ａ、７０ｂでそれぞれ操作される。
【００４５】
各火力調節レバー７０ａ、７０ｂは、クランク状に屈曲させた平坦な板材からそれぞれ形成され、相互に回動自在に上下に重ねて設けられている。そして、各火力調節レバー７０ａ、７０ｂは前面パネル１４から突出させて配置される。
【００４６】
また、各火力調節レバー７０ａ、７０ｂの所定の位置に、火力調節レバー７の幅全体に亘って上方に隆起させた凸部から構成される第１及び第２の各堰部７２ａ、７２ｂを設けている。
【００４７】
この場合、上側の火力調節レバー７０ａの第１堰部７２ａよりニードル弁６０ａ、６０ｂ側に位置するように下側の火力調節レバー７０ｂの第２堰部７２ｂを形成した。
【００４８】
これにより、調理時に調理器具Ｇから煮こぼれが生じ、天板１３にこぼれた煮汁が上側の火力調節レバー７０ａにかかっても、火力調節レバー７０ａに設けた第１堰部７２ａによって煮汁が火力調節レバー７０ａの途中で堰止められ、落下させることができる。
【００４９】
落下した煮汁のいくらかは下側の火力調節レバー７０ｂにかかるが、ニードル弁６０ａ、６０ｂ側に設けた第２堰部７２ｂで煮汁が堰止められ、落下させることができる。このため、煮汁が両火力調節レバー７０ａ、７０ｂを伝ってニードル弁６０ａ、６０ｂ側に移動することはない。
【００５０】
なお、第１及び第２の実施の形態では、堰部７２、７２ａ、７２ｂを火力調節レバー７、７０ａ、７０ｂの幅全体に亘って上方に隆起させた凸部から形成したが、これに限定されるものではない。
【００５１】
例えば、図６に示すように、火力調節レバー７（７０ａ、７０ｂ）の所定の位置にその幅全体に亘って下方に窪ませた凹部７２ｃで堰部を形成してもよい。
【００５２】
また、図７に示すように、火力調節レバー７のうち堰部７２よりニードル弁の案内板６２側の部分を、案内板６２に向かって下方に傾斜して形成してもよい。
【００５３】
さらに、図８に示すように、火力調節レバー７のつまみ７１ａのニードル弁の案内板６２側の縁部に、幅全体に亘って上方に突出させた堰部７１ｂを設け、この堰部７１ｂで煮汁を堰止めて落下させるようにしてもよい。この場合、図９に示すように、つまみ７１ａの上面７１ｄをドーム状に形成すると煮汁を落下させやすい。
【００５４】
【発明の効果】
以上に説明したように、本発明のガス調理器具の火力調節装置では、天板上にこぼれた煮汁がコンロ器体内の電装基板やスイッチなどに悪影響を及ぼすことが防止できるという効果を奏する。
【図面の簡単な説明】
【図１】本発明の火力調節装置を設けたガスコンロを説明する断面図
【図２】第１の実施の形態における火力調節装置の構成を説明する断面図
【図３】図２に示す火力調節レバーを説明する上面図
【図４】第２の実施の形態における火力調節装置の構成を説明する図
【図５】図４に示す火力調節レバーを説明する図
【図６】火力調節レバーの変形例を説明する図
【図７】火力調節レバーのその他の変形例を説明する図
【図８】火力調節レバーのその他の変形例を説明する図
【図９】火力調節レバーのその他の変形例を説明する図
【図１０】従来のガスコンロを説明する側面図
【符号の説明】
１　ガスコンロ
２　火力調節装置
６　ニードル弁（可動弁）
７　火力調節レバー
７１　つまみ
７２　堰部
【図１】
2004060898.tif 000003
【図２】
2004060898.tif 000004
【図３】
2004060898.tif 000005
【図４】
2004060898.tif 000006
【図５】
2004060898.tif 000007
【図６】
2004060898.tif 000008
【図７】
2004060898.tif 000009
【図８】
2004060898.tif 000010
【図９】
2004060898.tif 000011
【図１０】
2004060898.tif 000012